(57)【要約】      （修正有）【課題】ロールからビニール袋を切断した後に次のビニール袋を取り出しやすくすることができるロールホルダー器具を提供する。【解決手段】ロールホルダー器具１は、ロール２の芯管に挿通す芯軸４を架設してロール２を回転自在に保持する左右の側板３２と、左右の側板３２間に配設してロール２の外周面に当接する押さえ棒５と、押さえ棒５の中央部に突設され、ロール２下部側から押さえ棒５の上面を通して引き出されているビニール袋のつまみ部を引っ張り出してビニール袋２１のミシン線を破断させる切断部５２とを備えている。切断部５２は、Ｖ字形又はＵ字形に形成され、かつ、黒色、白色、緑色、黄色、赤色、青色及びオレンジ色のうちの何れか一色に施され、好ましくはオレンジ色に施される。【選択図】図１
0003203477.tif 000002
【実用新案登録請求の範囲】
【請求項１】
一袋間隔にミシン線を設けて連続形成する透明又は半透明のビニール袋のロールを保持するとともに、このロールからミシン線を切断して一袋ずつビニール袋を取り出せるようにしたロールホルダー器具であって、
ロールの芯管に挿通する芯軸を架設してロールを回転自在に保持する左右の側板と、
左右の側板間に配設してロールの外周面に当接する押さえ棒と、
押さえ棒の中央部に突設され、ロール下部側から押さえ棒の上面を通して引き出されているビニール袋のつまみ部を引っ張り出してビニール袋のミシン線を破断させる切断部とを備え、
切断部は、Ｖ字形又はＵ字形に形成され、かつ、黒色、白色、緑色、黄色、赤色、青色及びオレンジ色のうちの何れか一色に施されているロールホルダー器具。
【請求項２】
請求項１に記載のロールホルダー器具において、
切断部は、オレンジ色テープを巻き付けてオレンジ色に施されているロールホルダー器具。
【請求項３】
請求項１又は２に記載のロールホルダー器具において、
ロールから引き出されたつまみ部の長さは、ロール外周面からビニール袋端までの長さとして３０ｍｍ以上の範囲に設定されるロールホルダー器具。
【考案の詳細な説明】
【技術分野】
【０００１】
本考案は、一袋間隔にミシン線を設けて連続形成する透明又は半透明のビニール袋のロールを保持するとともに、このロールからミシン線を切断して一袋ずつビニール袋を取り出せるようにしたロールホルダー器具に関するものである。
【背景技術】
【０００２】
この種のロールホルダー器具は、スーパーマーケットやデパート等の食料品コーナーにおいて、レジ通過後の場所に買い物した商品を袋詰めするためのサッカー台に設置されている。従来、このロールホルダー器具として、ロールを回転自在に保持する左右の側板と、ロールの外周面を軸線方向に沿って当接する押さえ棒と、押さえ棒の中央部に突設してビニール袋のミシン線を破断させる切断部とを備えている。
【先行技術文献】
【特許文献】
【０００３】
【特許文献１】特開２０１１−１７８５５７号公報
【考案の概要】
【考案が解決しようとする課題】
【０００４】
従来のロールホルダー器具では、ミシン線が切断部に達するまでビニール袋を十分に引き出さずに切断されてしまい、次のビニール袋が取り出しにくい場合があった。
なお、ロールホルダー器具において、切断部に吸着性の高いゴムを装着することにより、切断後にビニール袋端のロール側への戻りを防ぎ、次のビニール袋を取り出しやすくしたものがあるが（特許文献１）、ビニール袋を十分に引き出させるようにするものではなかった。
【０００５】
本考案は、以上の事情に鑑みてなされたものであり、ロールからビニール袋を切断した後に次のビニール袋を取り出しやすくすることができるロールホルダー器具を提供することを目的とする。
【課題を解決するための手段】
【０００６】
本考案者らは、上記課題の解決のため、人の動作に着目した人間工学的な研究に基づいて、人がビニール袋を切断した後のつまみ部の長さに着目し、ロールからビニール袋を取り出しやすいつまみ部の長さを見出し、このつまみ部の長さが確保される構成を鋭意検討した結果、本考案を完成したものである。
すなわち、本考案に係るロールホルダー器具は、
一袋間隔にミシン線を設けて連続形成する透明又は半透明のビニール袋のロールを保持するとともに、このロールからミシン線を切断して一袋ずつビニール袋を取り出せるようにしたロールホルダー器具であって、
ロールの芯管に挿通する芯軸を架設してロールを回転自在に保持する左右の側板と、
左右の側板間に配設してロールの外周面に当接する押さえ棒と、
押さえ棒の中央部に突設され、ロール下部側から押さえ棒の上面を通して引き出されているビニール袋のつまみ部を引っ張り出してビニール袋のミシン線を破断させる切断部とを備え、
切断部は、Ｖ字形又はＵ字形に形成され、かつ、黒色、白色、緑色、黄色、赤色、青色及びオレンジ色のうちの何れか一色に施されているものである。
中でも、切断部は、オレンジ色テープを巻き付けてオレンジ色に施されることが好ましく、また、ロールから引き出されたつまみ部の長さは、ロール外周面からビニール袋端までの長さとして３０ｍｍ以上の範囲に設定されることが好ましい。
【０００７】
上記構成より、切断部に所定の色を付けて目立たせることで、使用者には、ロールから引き出したビニール袋のミシン線と、このビニール袋を透かして見る切断部との位置関係を意識させることができる。これにより、ミシン線の位置が切断部に達するまでビニール袋が十分に引き出され、ミシン線が切断部に接近したところで切断されるように誘導することができる。従って、ビニール袋を切断した後に、ロールから引き出されて残されるビニール袋端のつまみ部の長さとして次にビニール袋を取り出しやすい長さが確保される。
【考案の効果】
【０００８】
本考案に係るロールホルダー器具によれば、切断部に色を付けて目立たたせたので、使用者には、ビニール袋の切断時に、ビニール袋のミシン線が切断部に接近した位置でビニール袋を切断させるように誘導させ、その結果、切断後に残されるビニール袋のつまみ部の長さが、次にビニール袋を取り出しやすい長さとすることができる。よって、ロールからビニール袋を切断した後の次のビニール袋の取り出しやすさを向上することができる。
【図面の簡単な説明】
【０００９】
【図１】実施形態によるロールホルダー器具を示す斜視図である。
【図２】切断部を示す模式図であり、同図（ａ）は側面の模式図、同図（ｂ）は上面の模式図である。
【図３】実施形態の他の例によるロールホルダー器具を示す斜視図である。
【図４】切断部の色の違いによるつまみ部の長さを示すグラフである。
【図５】実施例及び比較例において、ビニール袋切断後、取り出しやすいつまみ部の長さ（３０ｍｍ以上）となった割合を示すグラフである。
【考案を実施するための形態】
【００１０】
以下に、本考案の実施形態について図面を参照しながら説明する。
図１に示すように、実施形態によるロールホルダー器具１は、スーパーマーケット等の食料品コーナーのサッカー台に設置され、一袋間隔にミシン線２２を溶封部２３（図２（ｂ）参照）に隣接して設ける連続ビニール袋２１のロール２を回転自在に保持し、ミシン線２２から切り離して一袋ずつビニール袋２１を取り出せるようにしたものである。
【００１１】
ロールホルダー器具１は、底板３１と、底板３１の左右端にそれぞれ立設された左右の側板３２とを有する。左右の側板３２間には、ロール２の芯管に挿通してロール２を回転自在に保持する芯軸４が架け渡され、また、芯軸４に保持するロール２の外周面に軸線方向に沿って当接する押さえ棒５が配設されている。
【００１２】
芯軸４は、両端部が左右の側板３２の上部に設けた凹溝３３に着脱自在に取り付けられている。芯軸４に保持するロール２は、下部からビニール袋２１が前方の切断部５２上へ引き出される向きに設置されている。
【００１３】
左右の側板３２間には、左右の側板３２間の間隔保持等のための支持棒６が架け渡して設けられている。押さえ棒５は、コ字形に形成され、両端部が支持棒６に揺動自在に取り付けられている。支持棒６の両端部には、コイルバネ６１が装着されており、コイルバネ６１は、一端が側板３２に係止され他端が押さえ棒５に係止されている。これらのコイルバネ６１により押さえ棒５がロール２の外周面を押圧するように付勢する。これにより、押さえ棒５によってロール２の回転に制動力が付与される。
【００１４】
押さえ棒５は、金属の線材で形成されており、その中央部を折曲して前方へ突出する突起部５１が形成され、この突起部５１においてＶ字形に形成した先端がビニール袋２１の切断部５２を構成する。つまり、切断部５２は、ロール２のビニール袋２１端のつまみ部２４を引っ張りロール２下部から押さえ棒５の上面を通して引き出されたビニール袋２１のミシン線２２を破断させる部分となる。この切断部５２は、突起部５１における基端から斜め上方に向けて形成されており、上から押し当てられたビニール袋２１のミシン線２２を中央部分から破断させる。なお、切断部５２は、Ｖ字形に限らず、Ｕ字形に形成されてもよい。
【００１５】
図２（ａ）を参照して、ここで、つまみ部２４とは、ロール２からビニール袋２１を引き出す時に使用者がビニール袋２１をつまむ部分である。つまみ部２４の長さＬ、すなわち、ロール２から引き出されたビニール袋２１の長さ（具体的には、ロール２外周面からビニール袋２１端までの長さ）として、３０ｍｍ以上に設定され、３０ｍｍ以上の長さであれば、使用者においてロール２からビニール袋２１を取り出しやすくすることができる。なお、つまみ部２４の長さは、その上限は特に限定するものではないが、実際の使用上では、３０ｍｍ以上４５ｍｍ以下の範囲であればよい。
【００１６】
そして、ロール２からビニール袋２１が切断された後に、つまみ部２４の長さＬが上記長さ（３０ｍｍ以上）となるように残すには、次の構成とする。  すなわち、押さえ棒５は、金属の線材で形成されて全体が金属色を呈しているが、切断部５２は、オレンジ色に施されている。例えば、切断部５２にオレンジ色のテープを巻き付けることにより、Ｖ字形の切断部５２がオレンジ色に外観されるようにできるが、これに限らず、切断部５２を塗装等してオレンジ色に施してもよい。なお、切断部５２の色は、オレンジ色に施すのが好ましいが、オレンジ色に代えて、黒色、白色、緑色、黄色、赤色、青色のうちのいずれか一色に施してもよい。
【００１７】
図２（ｂ）に示すように、ビニール袋２１は、透明又は半透明の合成樹脂フィルムで形成されているので、使用者は、ビニール袋２１の取り出し時に引き出したビニール袋２１を透かして切断部５２を見ることとなる。このとき、使用者は、切断部５２に施されたオレンジ色に注意が引き付けられるので、使用者に切断部５２とビニール袋２１のミシン線２２とを意識させることとなり、ミシン線２２の位置がオレンジ色の切断部５２に達するまでビニール袋２１を引き出させるように誘導することができる。そして、ロール２から引き出されたビニール袋２１は、ミシン線２２の位置がオレンジ色の切断部５２に達したところでミシン線２２を破断させるように引き下げられることとなる。その結果、ビニール袋２１を切断した後に、ロール２から引き出されて残るビニール袋２１端、すなわち、つまみ部２４の長さは、上記の３０ｍｍ以上となり、次にビニール袋２１を取り出しやすい長さが確保される。よって、ロール２からビニール袋２１を切断した後の次のビニール袋２１の取り出しやすさを向上することができる。
【００１８】
なお、図１に示すロールホルダー器具１では、押さえ棒５が可動するものであるが、これに限らず、図３に示すロールホルダー器具１Ａのように、押さえ棒５は、左右の側板３２間に固定されて可動しないものであるが、ロール２が斜め下方へ移動自由に保持されたものでもよい。このロールホルダー器具１Ａは、切断部５２を有する突起部５１が押さえ棒５の中央部に溶接等で固定され、また、ロール２を保持する芯軸４は、両端部が左右の側板３２に設ける案内溝３４に滑り移動自由に支持されている。案内溝３４は、前方斜め下へ向けて形成されているので、ロール２は、案内溝３４に沿って自重で前方斜め下へ移動して外周面に押さえ棒５が当接されるようになっている。
【００１９】
（実施例）
次に、本考案の効果を確認すべく、以下の実験を行った。
実験には、図３に示すロールホルダー器具１Ａ（切断部５２は色付けの有り無しを含む。）を使用した。
１．つまみ部２４の長さＬ
ビニール袋２１のつまみ部２４の長さＬを５ｍｍ刻みで５ｍｍ〜４５ｍｍの範囲で変化させ、これを「取り出しやすい」、「もう少し出ていた方が取り出しやすい」、「取出しにくい」の３段階で評価したところ、４名の被験者の全員が「取り出しやすい」と答えたのは、つまみ部２４の長さＬが３０ｍｍ以上であった。従って、つまみ部２４の長さＬは、３０ｍｍ以上であることがビニール袋２１の取り出しやすさを向上できることが判明した。
【００２０】
２．切断部５２の色
ロールホルダー器具１Ａの切断部５２を目立たたせるために色テープを巻き付けて実験を行い、切断部５２の色として視認性が高い７色（黒色、白色、緑色、黄色、赤色、青色、オレンジ色）について、５名の被験者に各色２回ずつビニール袋２１の切断を行ってもらい、ビニール袋２１の切断後に残されるつまみ部２４の長さＬを測定したところ、図４に示すように、つまみ部２４の長さＬの平均値が最大となったのがオレンジ色であった。従って、切断部５２の色をオレンジ色とすれば、他の色よりも、ビニール袋２１の切断後に残されるつまみ部２４の長さＬが最も長く確保されることが判明した。なお、切断部５２に色を付けず金属色のままの現状品（比較例）では、次に述べる「ビニール袋２１の取り出し」実験の結果を参照すると、つまみ部２４の長さＬは、切断部５２を上記７色にしたどれよりも短かった。
以上の結果、つまみ部２４の長さＬを長く残すためには、切断部５２の色をオレンジ色とするのが最適であることがわかった。また、オレンジ色以外の黒色、白色、緑色、黄色、赤色、又は青色でも、色を付していない現状品（比較例）の切断部５２よりも、つまみ部を長く残せることがわかった。
【００２１】
３．ビニール袋２１の取り出しやすさ
実施例として、図３に示すロールホルダー器具１Ａにおいて、切断部５２にオレンジ色の色テープを巻き付けて切断部５２をオレンジ色としたものを使用して、被験者３１名（男性１７名、女性１４名、年齢２０〜２３歳）にロール２からビニール袋２１を１人３回取り出してもらい、ビニール袋２１の切断時におけるビニール袋２１のミシン線２２と切断部５２の距離、及び、この取り出し時の切断により残されたつまみ部２４の長さＬを測定した。
比較例として、切断部５２に色を付けず材質の金属色のままのロールホルダー器具１Ａを使用して、上記実施例と同様の測定を行った。
これらの結果において、取り出しやすいつまみ部２４の長さＬ（３０ｍｍ以上）となった割合を図５に示した。
【００２２】
図５に示した結果より、取り出しやすいつまみ部２４の長さＬ（３０ｍｍ以上）となった割合は、比較例では４１％であったものが、実施例（オレンジ色）では６７％に向上した。これより、実施例（オレンジ色）によれば、ロール２からビニール袋２１が切断された後に、つまみ部２４の長さＬが次のビニール袋２１を取り出しやすい長さとなることが確認できた。
【００２３】
また、ロール２からビニール袋２１を切断した後の「つまみ部２４の長さＬ」は、「ビニール袋２１のミシン線２２と切断部５２の距離ｄ」（図２（ｂ）参照）と相関が見られ、つまみ部２４の長さＬが取り出しやすい長さ（３０ｍｍ以上）となるためには、ミシン線２２が切断部５２に一定以上接近したところでビニール袋２１が切断される必要がある。すなわち、実施例では、切断部５２をオレンジ色に施し目立たせることで、使用者に対してミシン線２２と切断部５２の距離ｄを意識させることができ、比較例よりもビニール袋２１のミシン線２２の位置が切断部５２側へ接近することがわかった。
【００２４】
以上より、「つまみ部２４の長さＬ」は、「ミシン線２２と切断部５２の距離ｄ」と相関が高いことがわかり、特に、実施例のように切断部５２をオレンジ色で目立たたせることにより、次にビニール袋２１を取り出しやすいつまみ部２４の長さＬに残す割合を、切断部５２に色を付けない比較例での４１％から６７％へと、２６％も向上させることができた（図５）。
【符号の説明】
【００２５】
１，１Ａ  ロールホルダー器具
２  ロール
４  芯軸
５  押さえ棒
６  支持棒
２１  ビニール袋
２２  ミシン線
２３  溶封部
２４  つまみ部
３１  底板
３２  側板
３３  凹溝
３４  案内溝
５１  突起部
５２  切断部
６１  コイルバネ
【図１】
0003203477.tif 000003
【図２】
0003203477.tif 000004
【図３】
0003203477.tif 000005
【図４】
0003203477.tif 000006
【図５】
0003203477.tif 000007